(57)【要約】      （修正有）【課題】構成物品数が少なく、組立が容易な混合用容器蓋を提供する。【解決手段】キャップ本体１と、上蓋２と、内部に混合用添加物が充填され且つシール箔により口部が閉じられているポーションカップとからなり、キャップ本体の頂板部には、一対の流し込み領域５０と、その近傍に配置されたカッター６０とが形成され、流し込み領域は、付け根ラインと、該付け根ラインの両端に連なる破断用スコアとによって区画され、破断用スコアの内側に沿ってスコア破断用突片５５が形成されており、上蓋の側壁には、弱化ラインを介して降下規制バンドが設けられ、さらに、ポーションカップのフランジを保持する環状押し当て部材３９を有し、降下規制バンドを切り離した後に、上蓋２を閉栓方向に回転させることにより、環状押し当て部材がスコア破断用突片を押圧して破断用スコアを破断し、流し込み領域を押し下げ、カッターによってシール箔を破断させることを特徴とする。【選択図】図７
2006027709.tif 000002
【特許請求の範囲】
【請求項１】
容器口部に螺子係合により着脱自在に設けられるキャップ本体と、該キャップ本体に螺子係合により装着された上蓋と、口部に周状水平フランジを有し、内部に混合用添加物が充填され且つ該周状水平フランジに接着固定されたシール箔により口部が閉じられているポーションカップとからなり、
前記キャップ本体は、頂板部と、頂板部周縁から下方に降下しているスカート状側壁とからなり、該頂板部の上面には、外面に上蓋との螺子係合用螺条を有する筒状突起が設けられ、該頂板部の該筒状突起により囲まれた部分には、上方から見て、頂板部の第１中心線を間に挟んで対峙している一対の流し込み領域と、該一対の流し込み領域の近傍に配置された少なくとも一個のカッターとが形成されており、前記一対の流し込み領域は、それぞれ、前記頂板部の第１中心線側に位置している付け根ラインと、該付け根ラインの一方側の端部を始点とし且つ他方側端部を終点とする破断用スコアとによって区画されているとともに、且つ該破断用スコアの内側に沿ってスコア破断用突片が形成されており、
前記上蓋は、天板と、該天板の周縁から降下し且つ内面にキャップ本体との螺子係合用螺条を有する係合用環状壁と、該係合用環状壁の下端に引き裂き可能な弱化ラインを介して設けられた降下規制バンドとからなり、該天板の下面からは、前記ポーションカップの周状水平フランジを保持するための保持手段を下端に有する環状押し当て部材が下方に延びており、
前記ポーションカップは、倒立した状態で、前記上蓋の筒状側壁と環状押し当て部材とにより形成されている空間内に挿入され、且つ倒立状態の該カップの周状水平フランジは、前記環状押し当て部材の下端に形成されている保持手段によって保持されており、
前記上蓋の降下規制バンドを切り離した後に、該上蓋を閉栓方向に回転させて降下させることにより、前記環状押し当て部材がキャップ本体の前記スコア破断用突片を押圧して前記破断用スコアを破断し且つ前記付け根ラインを支点としてキャップ本体頂板部の流し込み領域を押し下げ、さらに前記カッターによって前記ポーションカップのシール箔を破断させることを特徴とする混合用容器蓋。
【請求項２】
容器口部に螺子係合により着脱自在に設けられるキャップ本体と、該キャップ本体に螺子係合により装着された上蓋とからなり、
前記キャップ本体は、頂板部と、頂板部周縁から下方に降下しているスカート状側壁とからなり、該頂板部の上面には、外面に上蓋との螺子係合用螺条を有する筒状突起が設けられ、該頂板部の該筒状突起により囲まれた部分には、上方から見て、頂板部の第１中心線を間に挟んで対峙している一対の流し込み領域と、該一対の流し込み領域の近傍に配置された少なくとも１個のカッターとが形成されており、前記一対の流し込み領域は、それぞれ、前記頂板部の第１中心線側に位置している付け根ラインと、該付け根ラインの一方側の端部を始点とし且つ他方側端部を終点とする破断用スコアとによって区画されているとともに、且つ該破断用スコアの内側に沿ってスコア破断用突片が形成されており、
前記上蓋は、天板と、該天板の周縁から降下し且つ内面にキャップ本体との螺子係合用螺条を有する係合用環状壁と、該係合用環状壁の下端に引き裂き可能な弱化ラインを介して設けられた降下規制バンドとからなり、該天板の下面からは、環状押し当て部材が下方に延びており、
上蓋の筒状側壁及び環状押し当て部材の内部空間には、混合用添加物が充填され、且つ該内部空間は、該環状押し当て部材の下端に接着固定されたシール箔によって閉じられており、
前記上蓋の降下規制バンドを切り離した後に、該上蓋を閉栓方向に回転させて降下させることにより、前記環状押し当て部材がキャップ本体の前記スコア破断用突片を押圧して前記破断用スコアを破断し且つ前記付け根ラインを支点としてキャップ本体頂板部の流し込み領域を押し下げ、さらに前記カッターによって前記シール箔を破断させることを特徴とする混合用容器蓋。
【請求項３】
前記天板は、上面壁と、該上面壁の周縁から降下した筒状側壁と、該筒状側壁の下端から外方に延びている周状外側壁とからなり、前記係合用環状壁は、該周状外側壁の外周縁部から降下している請求項１または２に記載の混合用容器蓋。
【請求項４】
前記キャップ本体の頂板部の周縁部分上面もしく前記筒状突起の外面側下方部分と前記降下規制バンドの内面との間には、前記上蓋の閉栓方向への回転は許容するが開栓方向への回転は阻止する回り止め機構が設けられている請求項１または２に記載の混合用容器蓋。
【請求項５】
前記上蓋の周状外側壁の下面には、前記降下規制バンドを切り離した後に、上蓋を閉栓方向へ回転して降下させたときに、キャップ本体の筒状突起の上端内面側に密着するシール用リングが形成されている請求項１または２に記載の混合用容器蓋。
【請求項６】
前記付け根ラインは、前記頂板部の第１中心線と実質上平行に延びており、前記流し込み領域を区画している破断用スコアは、前記付け根ラインの両端に連なり且つ互いに平行な直線状スコアと、該直線状スコアを結ぶ外方に膨らんだ弧状スコアとからなり、該弧状スコアの内側に沿って前記スコア破断用突片が設けられている請求項１または２に記載の混合用容器蓋。
【請求項７】
前記付け根ラインは、前記破断用スコアよりは厚肉であるが他の部分よりも薄肉に形成されている請求項６に記載の混合用容器蓋。
【請求項８】
前記一対の流し込み領域は、それぞれ、前記頂板部の第１中心線と直角に交わる第２中心線を軸線として対称な形状に形成されており、各流し込み領域での頂板部上面は、前記スコア破断用突片を除き、第２中心線上を稜線とする傾斜面となっている請求項１または２に記載の混合用容器。
【請求項９】
前記キャップ本体の頂板部には、前記一対の流し込み領域を間に挟むようにして、流し込み領域側が相対的に低くなるような傾斜面からなる一対の誘導領域が形成されており、該誘導領域のそれぞれに前記カッターが形成されている請求項１または２に記載の混合用容器蓋。
【請求項１０】
前記一対のカッターの内の一方は、一方の流し込み領域に隣接して配置され、他方のカッターは、他方の流し込み領域に隣接して且つ頂板部の中心を軸として一方のカッターに対して点対称となるように配置されている請求項９に記載の混合用容器蓋。
【発明の詳細な説明】
【技術分野】
【０００１】
本発明は、混合用容器蓋に関するものであり、特に容器口部に装着されるキャップ本体と、該キャップ本体に装着される上蓋とからなり、上蓋内部に、容器内容液に混合すべき混合用添加物が収容され、開栓や閉栓などの動作によって自動的に上蓋内部の混合用添加物が容器内容物に添加される混合用容器蓋に関するものである。
【背景技術】
【０００２】
かなり以前から混合用容器蓋は提案されており、例えば特許文献１には、円筒状のねじ込みキャップを有する第１液用容器本体と、キャップを有しない第２液用容器本体の充填液がアルミニウムフォイル等でシールされ、そのシール面が対向する位置で、両容器本体外周で、他の円筒形ホルダーにより連結された二液混合容器において、上記ホルダー内側に嵌合して、外周から中心で頂点を形成して交叉する複数枚の上下に向かった刃を有するカッターを両容器本体間の接続空間に位置させ、かつ上記第１液用容器本体中央部に、ほぼ上記の両容器本体間の間隔幅をもつリング帯状の差込み安全ピンを備えたことを特徴とする二液混合容器が提案されている。
【特許文献１】実公昭５７−４３７８５号公報
【発明の開示】
【発明が解決しようとする課題】
【０００３】
上記のような混合容器に使用されている蓋体は、予め設定された一定量の添加物を混合することができ、医薬品、化粧品等の用途に適用されるものであり、最近では、カクテル等の飲料などの用途での使用も期待される。
【０００４】
しかしながら、従来公知の混合用容器蓋は、蓋体の構成物品数が多いという問題があり、容器蓋の組立が面倒であるという問題がある。例えば、特許文献１では、カッターが蓋体とは全く別個の物品として使用されているため、カッターを容器蓋に組み込むなどの工程が必要となってしまい、生産性の低下を免れない。
【０００５】
従って本発明の目的は、構成物品数が少なく、組立が容易な混合用容器蓋を提供することにある。
【課題を解決するための手段】
【０００６】
本発明によれば、容器口部に螺子係合により着脱自在に設けられるキャップ本体と、該キャップ本体に螺子係合により装着された上蓋と、口部に周状水平フランジを有し、内部に混合用添加物が充填され且つ該周状水平フランジに接着固定されたシール箔により口部が閉じられているポーションカップとからなり、
前記キャップ本体は、頂板部と、頂板部周縁から下方に降下しているスカート状側壁とからなり、該頂板部の上面には、外面に上蓋との螺子係合用螺条を有する筒状突起が設けられ、該頂板部の該筒状突起により囲まれた部分には、上方から見て、頂板部の第１中心線を間に挟んで対峙している一対の流し込み領域と、該一対の流し込み領域の近傍に配置された少なくとも一個のカッターとが形成されており、前記一対の流し込み領域は、それぞれ、前記頂板部の第１中心線側に位置している付け根ラインと、該付け根ラインの一方側の端部を始点とし且つ他方側端部を終点とする破断用スコアとによって区画されているとともに、且つ該破断用スコアの内側に沿ってスコア破断用突片が形成されており、
前記上蓋は、天板と、該天板の周縁から降下し且つ内面にキャップ本体との螺子係合用螺条を有する係合用環状壁と、該係合用環状壁の下端に引き裂き可能な弱化ラインを介して設けられた降下規制バンドとからなり、該天板の下面からは、前記ポーションカップの周状水平フランジを保持するための保持手段を下端に有する環状押し当て部材が下方に延びており、
前記ポーションカップは、倒立した状態で、前記上蓋の筒状側壁と環状押し当て部材とにより形成されている空間内に挿入され、且つ倒立状態の該カップの周状水平フランジは、前記環状押し当て部材の下端に形成されている保持手段によって保持されており、
前記上蓋の降下規制バンドを切り離した後に、該上蓋を閉栓方向に回転させて降下させることにより、前記環状押し当て部材がキャップ本体の前記スコア破断用突片を押圧して前記破断用スコアを破断し且つ前記付け根ラインを支点としてキャップ本体頂板部の流し込み領域を押し下げ、さらに前記カッターによって前記ポーションカップのシール箔を破断させることを特徴とする混合用容器蓋が提供される。
【０００７】
本発明によれば、また、容器口部に螺子係合により着脱自在に設けられるキャップ本体と、該キャップ本体に螺子係合により装着された上蓋とからなり、
前記キャップ本体は、頂板部と、頂板部周縁から下方に降下しているスカート状側壁とからなり、該頂板部の上面には、外面に上蓋との螺子係合用螺条を有する筒状突起が設けられ、該頂板部の該筒状突起により囲まれた部分には、上方から見て、頂板部の第１中心線を間に挟んで対峙している一対の流し込み領域と、該一対の流し込み領域の近傍に配置された少なくとも１個のカッターとが形成されており、前記一対の流し込み領域は、それぞれ、前記頂板部の第１中心線側に位置している付け根ラインと、該付け根ラインの一方側の端部を始点とし且つ他方側端部を終点とする破断用スコアとによって区画されているとともに、且つ該破断用スコアの内側に沿ってスコア破断用突片が形成されており、
前記上蓋は、天板と、該天板の周縁から降下し且つ内面にキャップ本体との螺子係合用螺条を有する係合用環状壁と、該係合用環状壁の下端に引き裂き可能な弱化ラインを介して設けられた降下規制バンドとからなり、該天板の下面からは、環状押し当て部材が下方に延びており、
上蓋の筒状側壁及び環状押し当て部材の内部空間には、混合用添加物が充填され、且つ該内部空間は、該環状押し当て部材の下端に接着固定されたシール箔によって閉じられており、
前記上蓋の降下規制バンドを切り離した後に、該上蓋を閉栓方向に回転させて降下させることにより、前記環状押し当て部材がキャップ本体の前記スコア破断用突片を押圧して前記破断用スコアを破断し且つ前記付け根ラインを支点としてキャップ本体頂板部の流し込み領域を押し下げ、さらに前記カッターによって前記シール箔を破断させることを特徴とする混合用容器蓋が提供される。
【０００８】
上述した本発明の混合容器蓋においては、
１．前記天板は、上面壁と、該上面壁の周縁から降下した筒状側壁と、該筒状側壁の下端から外方に延びている周状外側壁とからなり、前記係合用環状壁は、該周状外側壁の外周縁部から降下していること、
２．前記キャップ本体の頂板部の周縁部分上面もしく前記筒状突起の外面側下方部分と前記降下規制バンドの内面との間には、前記上蓋の閉栓方向への回転は許容するが開栓方向への回転は阻止する回り止め機構が設けられていること、
３．前記上蓋の周状外側壁の下面には、前記降下規制バンドを切り離した後に、上蓋を閉栓方向へ回転して降下させたときに、キャップ本体の筒状突起の上端内面側に密着するシール用リングが形成されていること、
４．前記付け根ラインは、前記頂板部の第１中心線と実質上平行に延びており、前記流し込み領域を区画している破断用スコアは、前記付け根ラインの両端に連なり且つ互いに平行な直線状スコアと、該直線状スコアを結ぶ外方に膨らんだ弧状スコアとからなり、該弧状スコアの内側に沿って前記スコア破断用突片が設けられていること、
５．前記付け根ラインは、前記破断用スコアよりは厚肉であるが他の部分よりも薄肉に形成されていること、
６．前記一対の流し込み領域は、それぞれ、前記頂板部の第１中心線と直角に交わる第２中心線を軸線として対称な形状に形成されており、各流し込み領域での頂板部上面は、前記スコア破断用突片を除き、第２中心線上を稜線とする傾斜面となっていること、
７．前記キャップ本体の頂板部には、前記一対の流し込み領域を間に挟むようにして、流し込み領域側が相対的に低くなるような傾斜面からなる一対の誘導領域が形成されており、該誘導領域のそれぞれに前記カッターが形成されていること、
８．前記一対のカッターの内の一方は、一方の流し込み領域に隣接して配置され、他方のカッターは、他方の流し込み領域に隣接して且つ頂板部の中心を軸として一方のカッターに対して点対称となるように配置されていること、
が好ましい。
【発明の効果】
【０００９】
本発明の混合容器蓋では、容器内容物に混合すべき添加物（混合用添加物）は、ポーションカップに充填され或いは直接、上蓋の空間内に収容されているが、何れの場合も、シール箔を破断するためのカッターが、キャップ本体の頂板部に一体に形成されている。従って、この容器蓋を構成する物品数は、キャップ本体と上蓋との２点であり、その組み立てを至って容易に行うことができる。
【００１０】
また、シール箔の破断を行う前の段階では、キャップ本体の頂板部には、破断されたシール箔から流され出す混合用添加物の容器内への通路は形成されておらず、シール箔（或いはシール箔が接着固定されているポーションカップのフランジ部）を保持している上蓋の閉栓方向への旋回によって環状押し当て部材を降下させ、カッターによるシール箔の破断が行われるが、この環状押し当て部材の降下に伴い、キャップ本体の頂板部の流し込み領域に設けられているスコア破断用突片が押し下げられ、該流し込み領域を形成している破断用スコアが破断し、この段階で初めて、シール箔から流され出す混合用添加物の容器内への通路が形成される。即ち、上蓋に設けられている降下規制バンドを切り離した後に上蓋を閉栓方向に旋回させない限り、上記通路は形成されない。従って、このような通路の形成により、容器蓋のシール機能に問題を生じることもない。
【発明を実施するための最良の形態】
【００１１】
本発明を、以下、本発明を添付図面に基づいて詳細に説明する。
図１は、本発明の混合用容器蓋の一例を容器口部と共に示す側断面図であり、
図２は、図１の混合用容器蓋のキャップ本体を容器首部とともに拡大して示す側断面図であり、
図３は、図１における混合用容器蓋のキャップ本体の上面図であり、
図４は、図１における混合用容器蓋のキャップ本体の半断面（図３のＢ−Ｂ断面）側面図であり、
図５は、図１における混合用容器蓋のキャップ本体の底面図であり、
図６は、図１における混合用容器蓋のキャップ本体の半断面（図３のＡ−Ａ断面）側面図であり、
図７は、図１の混合用容器蓋の二液混合過程を示す図であり、
図８は、本発明の混合用容器蓋の他の例を示す側断面図である。
【００１２】
図１及び図２を参照して、本発明のこの態様の混合用容器蓋は、全体として１で示すキャップ本体と、全体として２で示す上蓋とからなり、キャップ本体１は、容器口部８０に螺子係合により着脱自在に設けられ、上蓋２は、その内部に容器内容液と混合すべき混合用添加物が充填されたポーションカップ３が収容されており（図１参照）、キャップ本体１に螺子装着されている。
【００１３】
また、図２及び図３乃至図６を参照して、キャップ本体１は、頂板部５と、頂板部５の周縁から下方に降下しているスカート状側壁７とを有している。スカート状側壁７の内面には、螺条８が形成されており、この螺条８が容器口部８０の外面に形成されている螺条８１と螺子係合することにより、キャップ本体１は容器口部８０に装着される。さらに、スカート状側壁７の外面には、特に図４、図６に示されているように、キャップ本体１の開栓或いは閉栓のための旋回をスムーズに行い得るように、滑り止めのためのローレット（或いはナール）９が形成されている。
【００１４】
頂板部５の下面には、スカート状側壁７とは間隔おいてインナーリング１０が形成されており、キャップ本体１を容器口部８０に螺子係合させると、容器口部８０の上端が、インナーリング１０とスカート状側壁７との間の空間に入り込み、インナーリング１０の外面が容器口部８０の内面に密着することにより、良好なシール性が確保される。この場合、インナーリング１０とスカート状側壁７との間には、アウターリング１１を形成しておくことが好ましく、アウターリング１１の内面が容器口部８０の外面に密着することにより、シール性を高めることができる。また、アウターリング１１には、適宜の間隔で切欠き１１ａを形成しておくことが好ましい。このような切欠き１１ａを形成しておくと、容器の内圧が上昇して頂板部５がドーミング（膨れ）した場合、切欠き１１ａを介してガス抜きが行われ、容器内圧の上昇によるキャップ飛びなどの不都合を確実に防止することができる。さらに、アウターリング１１とインナーリング１０との間には、小突起１３を形成しておくことが、シール性をさらに高める上で有利である。即ち、この小突起１３は、螺子係合によりインナーリング１０とアウターリング１１との間に侵入した容器口部８０の上端面に当接し、補助シールとして機能し、シール性をさらに高めることができる。
【００１５】
スカート状側壁７の下端には、必要により、破断可能なブリッジ１５を介してタンパーエビデントバンド（ＴＥバンド）１７を設けておくことが好ましい。このＴＥバンド１７は、例えば内面にフラップ片の如き係止片１７ａを有しており、このキャップ本体１を開栓方向に旋回させると、スカート状側壁７の上昇に伴い、係止片１７ａが容器口部８０の外面に形成されている顎部８３の下側に当接し、このＴＥバンド１７の上昇が制限される。即ち、開栓を続行すると、ブリッジ１５が破断してＴＥバンド１７がキャップ本体１から切り離され、これにより、一般の使用者は開封の事実を認識することができ、イタズラを防止し、或いは容器内容液の品質を保証することができる。
【００１６】
また、上述したキャップ本体１の頂板部５の上面には、筒状突起１９が形成されている。この筒状突起１９は、外面に螺条２０を有しており、この螺条２０を利用して上蓋２がキャップ本体１に装着される。また、この頂板部５の上面には、上記筒状突起１９の外側（或いは筒状突起１９の下部外面）に、回り止め用のラチェット２１が形成されている。このラチェット２１は、上蓋２の閉栓方向への回転（図３中、矢線Ｚ１で示す）は許容するが、開栓方向への回転（図３中、矢線Ｚ２で示す）を阻止するためのものである。
【００１７】
再び図１に戻って、上蓋２は、上面壁２３と、上面壁２３の周縁から降下した筒状側壁２５と、筒状側壁２５の下端から外方に延びている周状外側壁２７の外周縁部から降下している且つ係合用環状壁２９とを有しており、この環状壁２９の内面には、前述した筒状突起１９の外面の螺条２０と螺子係合する螺条３１が形成されている。即ち、この上蓋２は、環状壁２９の内面の螺条３１を、キャップ本体１の筒状突起１９の外面の螺条２０に螺子係合することにより、キャップ本体１に螺子装着される。
【００１８】
また、上記の係合用環状壁２９の下端には、引き裂き可能な弱化ライン３３を介して降下規制バンド３５が設けられている。この降下規制バンド３５は、上蓋２をキャップ本体１に螺子装着したとき、その下面がキャップ本体１の頂板部５の上面に当接することにより、上蓋５（係合用環状壁２９）の降下が制限され、係合用環状壁２９の下端とキャップ本体１の頂板部５の上面との間に降下規制バンド３５が介在した状態で上蓋２の閉栓状態が保持されているのである。即ち、降下規制バンド３５が存在する状態では、周状水平壁２７の下端面と筒状突起１９の上端面との間に、降下規制バンド３５の分だけ隙間が形成されている。
【００１９】
上記の降下規制バンド３５の外面には、摘み片３６が設けられており、この摘み片３６を持って該バンド３５を引っ張ることにより、弱化ライン３３を引き裂いて降下規制バンド３５を上蓋２（環状壁２９）から切り離すことができ、これにより、上蓋２をさらに閉栓方向に旋回して、周状水平壁２７の下端面と筒状突起１９の上端面とが当接するまで降下させることができる。この場合、周状水平壁２７の下面には、シール用リング３８を設けておくことが好ましい。即ち、降下規制バンド３５を切り離して上蓋２を降下させたとき、このシール用リング３８が筒状突起１９の上端部内周面に密着するようにすることにより、このときのシール性を高めることができる。尚、図示されていないが、降下規制バンド３５には、摘み片３６の近傍に軸線スコアが設けられており、摘み片３６を引っ張ることにより、この軸線スコアが破断し、続いて摘み片３６を周方向に捲っていくことにより、弱化ライン３３が引き裂かれ、これにより、降下規制バンド３５が切り離されるようになっている。
【００２０】
さらに、降下規制バンド３５の内面には、これを開栓方向に回転させたときに、前述したラチェット２１と係合する係止突起３７が設けられている。即ち、係止突起３７とラチェット２１との係合により、上蓋２を開栓方向へ回転させることができず、従って、この降下規制バンド３５を切り離さない限り、上蓋２をキャップ本体１から取り外すことができず、これにより、上蓋２内に収容されているポーションカップ３内の混合用液に対して、優れたタンパーエビデント性を確保することができる。
【００２１】
本発明においては、上蓋２における周状フランジ２７の下面内周縁側には、環状押し当て部材３９が設けられており、前述した筒状側壁２５と環状押し当て部材３９との内側空間内（上蓋空間内）にポーションカップ３が収容されている。
【００２２】
ポーションカップ３は、胴部壁３ａ，底部壁３ｂ及び胴部壁３ａの上端に形成されている周状水平フランジ３ｃを有しており、このカップ３内には容器内容物に混合するための添加物が充填され、周状フランジ３ｃに接着固定されたアルミ箔等のシール箔３ｄによってシールされている。即ち、図１に示されているように、このポーションカップ３は倒立状態で上蓋空間内に収容され、その水平フランジ３ｃが環状押し当て部材３９の下端面に保持されている。即ち、環状押し当て部材３９の下端面の外周部には突条４０が形成されており、この突条４０によってポーションカップ３（水平フランジ３ｃ）が下方に落下しないように保持されている。
【００２３】
本発明では、降下規制バンド３５を切り離して上蓋２を降下させることにより、後述するようにシール箔３ｄが破断し且つキャップ本体１の頂板部５に所定の液流路が形成され、これにより、ポーションカップ３内に充填された添加物を容器内容物と混合することができるのであるが、このようなシール箔３ｄの破断や添加物通路の形成のために、頂板部５に以下のような構造を持たせることが重要である。
【００２４】
特に図２乃至図６を参照して（図２及び図４で示されているキャップ本体１の断面は、図３のＢ−Ｂ断面であり、図６で示されているキャップ本体１の断面は、図３のＡ−Ａ断面である）、キャップ本体１の頂板部５には、筒状突起１９により囲まれた部分において、上方から見て、頂板部５の中心Ｏを通る第１中心線Ｘを間に挟んで一対の流し込み領域５０，５０が形成されている。この流し込み領域５０は、それぞれ、第１中心線Ｘ側に位置している付け根ライン５１と、付け根ライン５１の一方側の端部を始点とし且つ他方側端部を終点とする破断用スコア５３とによって区画され、破断用スコア５３の内側に沿ってスコア破断用突片５５が形成されている。
【００２５】
即ち、上記の流し込み領域５０は、前述した降下規制バンド３５を切り離しての上蓋２の降下（環状押し当て部材３９の降下）によって、スコア破断用突片５５が押し下げられ、これにより、破断用スコア５３が破断し、この結果、流し込み領域５０は、付け根ライン５１を支点として、下方に落とし込まれ、添加物通路が形成されるというものである。
【００２６】
従って、上記のような通路の形成をスムーズに行うため、特に図３に示されているように、付け根ライン５１は、第１中心線と実質上平行に延びており、破断用スコア５３は、付け根ラインの両端に連なり且つ互いに平行な直線状スコア５３ａ，５３ａと、直線状スコア５３ａ，５３ａを結ぶ外方に膨らんだ弧状スコア５３ｂとから形成され、弧状スコア５３ｂの内側に沿ってスコア破断用突片５５を形成することが好ましい。即ち、回転しながら降下する環状押し当て部材３９の下面がスコア破断用突片５５の上端に当接するため、上記のように破断用スコア５３やスコア破断用突片５５を配置することにより、破断用スコア５３の破断をスムーズに行うことができる。
【００２７】
また、図２に示されているように、破断用スコア５３（５３ａ，５３ｂ）が形成されている部分の頂板部５の厚みは、当然、極薄肉となっているが、付け根ライン５１が形成されている部分の厚みは、破断用スコア５３部分よりも厚いが、他の部分よりも薄肉となっていることが好ましい。即ち、付け根ライン５１が形成されている部分の厚みを、破断しない程度の薄肉とすることにより、流し込み領域５０を、付け根ライン５１を支点として下方に容易に落とし込むことができる。
【００２８】
また、流し込み領域５０が付け根ライン５１を支点として下方に落とし込まれたとき、上方から流れ込む添加物は、中心部分（図２において付け根ライン５１，５１の間）から直線状スコア５１ａ，５１ａが破断した部分を通って容器内に流れ込む。従って、このような添加物の流れをスムーズにするために、流し込み領域５０の形状を、図３及び図６に示されているように、第１中心線Ｘと直角に交わる第２中心線Ｙを軸線として対称な形状とし、このような流し込み領域５０における頂板部５の上面は、対称軸となる第２中心線Ｙを稜線とする傾斜面５０ａ（スコア破断用突片５５を除く）となっていることが好適である。即ち、流し込み領域５０では、第２中心線Ｙに沿った部分が最も肉厚となっており、直線状スコア５１ａ側にいくにしたがって厚みが漸次薄くなるようなテーパー面となっていることが好ましく、これにより、流し込み領域５０上に液が滞留せず、スムーズに直線状スコア５１ａ，５１ａが破断した部分を通って容器内に流れ込むこととなる。
【００２９】
また、本発明においては、直線状スコア５１ａ，５１ａが破断した部分を通して、カップ３内の混合用添加物を容器内に流し込むために、当然のことながら、シール箔３ｄを破断することが必要である。このようなシール箔３ｄの破断を行うために、上記の流し込み領域５０，５０の近傍には、それぞれカッター６０が形成されている。
【００３０】
このカッター６０は、図６に示されているように、上端部分が先細形状の突起であり、また、図２に示されているように、その高さ（上端の位置）は、スコア破断用突片５５よりも低いことが好ましい。即ち、カッター６０の上端がシール箔３ｄに当接し、この状態で上蓋２が旋回しながら降下していくことにより、シール箔３ｄが破断するが、カッター６０がスコア破断用突片５５よりも高く設定しておくと、スコア破断による通路が形成される前に、シール箔３ｄが破断し、ポーションカップ３内の混合用添加物が流れ出て、上蓋２とキャップ本体１との間に混合用添加物が充満してしまい、その後に通路が形成されても、一部の添加物が、容器内に流れ込まず、滞留してしまうおそれがある。しかるに、カッター６０の背を低くしておけば、先に通路が形成され、その後にシール箔３ｄの破断を生じることとなり、添加物の滞留という不都合を確実に回避することができるからである。
【００３１】
また、シール箔３ｄの破断は、上蓋２が閉栓方向（図３においてＺ１で示す）に旋回しながら行われるため、図２及び図３に示されているように、カッター６０を一対とし、一方のカッター６０を一方の流し込み領域５０に隣接させ、他方のカッター６０を他方の流し込み領域５０に隣接して配置するとともに、一対のカッター６０，６０を頂板部５の中心Ｏを軸として互いに点対称に配置することが、シール箔３ｄを滑らかに円形状に切り裂いていく上で好適であり、さらには、カッター６０の上端で破断されたシール箔３ｄの切り裂きがスムーズに進行するように、先端から閉栓方向側に向かって高さが低下していくように、カッター６０の上端６０ａをテーパー状にすることが好ましい（図２参照）。
【００３２】
さらに、図２、図３及び図６から理解されるように、上記一対の流し込み領域５０，５０の両側に隣接するように誘導領域６２，６２を形成することが好ましい。この誘導領域６２は、流し込み領域５０側が相対的に低くなるような傾斜面６２ａを有するバンク状の突起６２ｂからなるものであり（図６参照）、特に一対の流し込み領域５０，５０の間の中央部分において、その高さが最も高くなっている。このような誘導領域６２の形成により、シール箔３ｄの破断部から流れ出る混合用添加物（特に液）を流し込み領域５０側に誘導し、効率よく、容器内に導入することができる。
【００３３】
尚、上記のような誘導領域６２を形成する場合、図６に示されているように、該領域６２内、例えば傾斜面６２ａ上にカッター６０を形成することが好ましい。
また、図５及び図６に示されているように、頂板部５の下面には、誘導領域６２を形成しているバンク状突起６２ｂに対応する部分に、肉抜き部６２ｃを形成し、樹脂目付け量を低減させることが好ましい。
【００３４】
上述した構造を有する本発明の混合用容器蓋は、図１に示す形態で販売され、図７に示す工程で容器内容物との混合が行われる。
【００３５】
即ち、所定の混合用添加物が充填され、シール箔３ｄでシールされたポーションカップ３を、その周状水平フランジ３ｃが環状押し当て部材３９の下端面で保持されるように、上蓋２内に収容し、ポーションカップ３が収容されているこの上蓋２を、ねじ込みにより、予め容器口部に装着されているキャップ本体１に装着し、図１に示す状態として販売に供する。この場合、ポーションカップ３が収容されている上蓋２をキャップ本体１に装着し、この状態で、容器口部８０に装着することもできる。
【００３６】
次いで、混合に際しては、図１に示すように容器口部８０に装着された容器蓋（上蓋２の環状壁２９）から、先にも述べたように、摘み片３６を持っての引っ張りにより、降下規制バンド３５を切り離す。この後、上蓋２を閉栓方向に旋回させ、図７（ａ）に示されているように、周状水平壁２７の下端面と筒状突起１９の上端面とが当接するまで上蓋２を降下させる。
【００３７】
上記の降下過程で、先ず上蓋２の環状押し当て部材３９の下端面がスコア破断用突片スコア破断用突片５５を押し下げ、これにより、破断用スコア５３（直線状スコア５３ａ及び弧状スコア５３ｂ）が破断し、流し込み領域５０は、付け根ライン５１を支点として、下方に落とし込まれ、添加物通路が形成される。また、破断用スコア５３が破断した後、ポーションカップ３のシール箔３ｄは、カッター６０により破断する。従って、図７（ａ）の状態で、ポーションカップ３内に充填されている混合用添加物は、容器内に流れ込むこととなる。
【００３８】
一方、図７（ａ）の状態では、上蓋２の周状水平壁２７の下面に形成されているシール用リング３８が、キャップ本体１の筒状壁１９の上端部分内面に密着し、良好なシールが確保されている。従って、この状態で、容器蓋毎、容器を振とうすることにより、混合用添加物を容器内容物と均一に混合することができる。
【００３９】
上記のようにして混合が行われた後は、キャップ本体１を開栓方向に旋回させることにより、図７（ｂ）に示されているように、ＴＥバンド１７が切り離されて容器口部８０に残存し、キャップ本体１は上蓋２が装着されたままの状態で容器口部８０から取り除かれ、容器口部８０が開放される。従って、この状態で、添加物が混合された容器内容物を容器内から取り出し（或いは注ぎだし）、もしくは直接容器から喫飲することができる。
【００４０】
本発明の混合用容器蓋は、上述した図１〜図７に示す態様に限定されるものではなく、例えばポーションカップ３を使用せず、混合用液を直接上蓋２内に収容しておくこともできる。この態様を図８に示した。
【００４１】
即ち、図８の例では、ポーションカップ３が使用されておらず、環状押し当て部材３９及び筒状側壁２５の内側空間内に直接混合用添加物が充填されており、環状押し当て部材３９の下端面に、アルミ箔等のシール箔７０が直接ヒートシールされて、シールされている点を除けば、他の構造は、図１〜７に示す容器蓋と全く同じ構造を有している。即ち、図１〜７の容器蓋と全く同様に、容器への装着や混合工程を行うことができる。勿論、この例においては、環状押し当て部材３９の下端面には、突条４０を設ける必要はない。
【００４２】
また、上述した図１〜８の例では、上蓋２を構成する天板（係合用環状壁２９の上部）が、上面壁２３と、上面壁２３の周縁から降下した筒状側壁２５と、筒状側壁２５の下端から外方に延びている周状外側壁２７とから構成されており、比較的大容量の混合用添加物を上蓋２内に収容し得るようになっているが、混合用添加物の量が少量でもよいような場合には、天板がフラットな上面壁２３のみから構成されていてもよい（即ち、筒状側壁２５を形成しないでもよい）。
【００４３】
上述した本発明の混合容器蓋は、混合用添加物が液体或いは粉体の何れであってもよい。
【００４４】
また、本発明の混合容器蓋において、キャップ本体１及び上蓋２は、それぞれ各種のプラスチック、例えば、低−、中−または高密度ポリエチレン、線状低密度ポリエチレン、ポリプロピレン、熱可塑性ポリエステル、ポリアミド、スチレン系樹脂、ΑΒＳ樹脂等を用いての射出成形、圧縮成形等の一体成形により製造される。また、ポーションカップ３は、上記と同様のプラスチックを用いて、同様の成形手段によって製造され、所定の混合用添加物を充填した後、アルミ箔等のシール箔をヒートシールすることにより、容易に製造することができる。
【図面の簡単な説明】
【００４５】
【図１】本発明の混合用容器蓋の一例を容器口部と共に示す側断面図。
【図２】図１の混合用容器蓋のキャップ本体を容器首部とともに拡大して示す側断面図。
【図３】図１における混合用容器蓋のキャップ本体の上面図。
【図４】図１における混合用容器蓋のキャップ本体の半断面（図３のＢ−Ｂ断面）側面図。
【図５】図１における混合用容器蓋のキャップ本体の底面図。
【図６】図１における混合用容器蓋のキャップ本体の半断面（図３のＡ−Ａ断面）側面図。
【図７】図１の混合用容器蓋の二液混合過程を示す図。
【図８】本発明の混合用容器蓋の他の例を示す側断面図。
【符号の説明】
【００４６】
１：キャップ本体                ２：上蓋
３：ポーションカップ（３ｄ：シール箔）
５：頂板部
１９：筒状突起                  ２７：周状水平壁
２９：係合用環状壁              ３５：降下規制バンド
３７：ラチェット                ５０：流し込み領域
５１：付け根ライン              ５３：破断用ライン
５５：スコア破断用突片          ６０：カッター
６２：誘導領域                ８０：容器口部
【図１】
2006027709.tif 000003
【図２】
2006027709.tif 000004
【図３】
2006027709.tif 000005
【図４】
2006027709.tif 000006
【図５】
2006027709.tif 000007
【図６】
2006027709.tif 000008
【図７】
2006027709.tif 000009
【図８】
2006027709.tif 000010